(57)【特許請求の範囲】
【請求項１】
ロール状の記録紙が収納される記録紙収納部が形成された本体と、前記記録紙収納部を前記本体の側面と前面とにおいて開放するとともに、前記本体に対し水平方向に回動可能に設けられ、前記記録紙収納部の側面と前面の開放部を開閉させる蓋体と、前記蓋体の記録紙収納部の側面を覆う部位に突設され、前記記録紙の軸線と同軸となるガイド軸と、このガイド軸にその軸方向に沿って摺動可能に装着されるとともに、前記記録紙の軸方向の一側部が当接させられる位置決めプレートと、この位置決めプレートの中心部に一体に設けられ、前記ガイド軸に摺動自在に被嵌された摺動筒と、前記摺動筒と前記ガイド軸との間に設けられ、前記摺動筒を前記ガイド軸の先端部へ向けて押圧する付勢部材と、前記摺動筒と前記ガイド軸との間に設けられ、前記摺動筒を固定する固定手段とを備え、前記ガイド軸には、前記記録紙の幅寸法に応じて、前記位置決めプレートの固定位置を設定する目盛りが設けられ、前記記録紙を前記位置決めプレートに当接させた状態において、前記記録紙の幅方向の中心が定位置に位置させられるようになされていることを特徴とする携帯型印字装置。
【発明の詳細な説明】
【０００１】
【発明の属する技術分野】
本発明は、たとえば、商品情報をバーコード化し、このバーコードをラベル等の記録紙へ印字する印字装置に係わり、特に、使用者の腰等に装着して携帯可能な携帯型印字装置に関するものである。
【０００２】
【従来の技術】
一般に、商品等の物品に、たとえば、バーコード化した商品情報をラベル等の記録紙に印字し、この記録紙を商品へ貼付することが行われており、この記録紙への印字および発行を、商品を取り扱う現場において行うようにした携帯型印字装置が提案されている。
このような携帯型印字装置では、図５に示すように、ロール状の記録紙１を用い、このロール状の記録紙１を、装置本体２内に設けられた記録紙収納部２ａに収納し、この記録紙収納部２ａから前記記録紙１を引き出して印字部へ送り込む構成となっている。
【０００３】
また、図５に示す携帯型印字装置にあっては、前記記録紙収納部２ａが、本体２の側面と前面とにおいて開放されており、この開放された側面および前面を開閉するように、前記側面を覆う部位３ａと前面を覆う部位３ｂとを備えた蓋体３が回動可能に取り付けられている。
【０００４】
【発明が解決しようとする課題】
ところで、このような携帯型印字装置にあっては、幅の異なる記録紙１を装填して使用することが多々ある。
そして、この場合、記録紙１を装填する際に、この記録紙１の幅方向の一側面を、前記記録紙収納部２ａの側壁面に当接させることによって記録紙１の位置決めを行わなければならないが、印字の制御の観点から見ると、印字部の中心と記録紙１の幅方向の中心を一致させる方が好ましい。
したがって、従来においては、このような記録紙の位置合わせが可能な構成が要望されている。
【０００５】
本発明は、このような従来の問題点に鑑みてなされたもので、幅の異なる記録紙を装填した場合でも、記録紙の幅方向の中心位置が常に一定位置にくるように、前記記録紙を装填することのできる携帯型印字装置を提供することを目的とする。
【０００６】
【課題を解決するための手段】
請求項１に記載の携帯型印字装置は、前述した目的を達成するために、ロール状の記録紙が収納される記録紙収納部が形成された本体と、前記記録紙収納部を前記本体の側面と前面とにおいて開放するとともに、前記本体に対し水平方向に回動可能に設けられ、前記記録紙収納部の側面と前面の開放部を開閉させる蓋体と、前記蓋体の記録紙収納部の側面を覆う部位に突設され、前記記録紙の軸線と同軸となるガイド軸と、このガイド軸にその軸方向に沿って摺動可能に装着されるとともに、前記記録紙の軸方向の一側部が当接させられる位置決めプレートと、この位置決めプレートの中心部に一体に設けられ、前記ガイド軸に摺動自在に被嵌された摺動筒と、前記摺動筒と前記ガイド軸との間に設けられ、前記摺動筒を前記ガイド軸の先端部へ向けて押圧する付勢部材と、前記摺動筒と前記ガイド軸との間に設けられ、前記摺動筒を固定する固定手段とを備え、前記ガイド軸には、前記記録紙の幅寸法に応じて、前記位置決めプレートの固定位置を設定する目盛りが設けられ、前記記録紙を前記位置決めプレートに当接させた状態において、前記記録紙の幅方向の中心が定位置に位置させられるようになされていることを特徴とする。
【０００７】
【発明の実施の形態】
以下、本発明の実施の形態を、図１ないし図４を参照して説明する。
なお、本実施形態における主要構成部材は、図５とほぼ同様であるので、これらについては、図５を参照して説明する。
本実施形態に係わる携帯型印字装置は、図１および図５に示すように、記録紙１が収納される記録紙収納部２ａが形成された本体２と、この本体２に回動可能に装着されて、前記記録紙収納部２ａの開閉をなす蓋体３とを備え、前記本体２には、前記記録紙１への印字を行う印字ヘッド４（図１参照）が装着され、前記蓋体３には、この蓋体３を閉位置に位置させた状態において、前記印字ヘッド４との間に前記記録紙１を挟持するプラテンローラ５が装着されている。
【０００８】
ついでこれらの詳細について説明すれば、前記記録紙１は、帯状台紙１ａと、この帯状台紙１ａの一方の面側に所定間隔をおいて仮着されたラベル１ｂとによって構成され、本実施形態においては、前記ラベル１ｂが感熱記録紙によって形成され、前記帯状台紙１ａを、円筒状の心材Ｓに巻回することによってロール状となされている。
【０００９】
前記本体２の裏面、すなわち、ベルト等に掛け止めされる側の面で、図１における左側の面には、前記本体２をベルト等に掛け止めするためのクリップ６が設けられ、また、本体２の前面には、印字後の記録紙１が排出される記録紙発行部２ｂが形成されている。
【００１０】
また、前記本体２の内部で、上下方向の略中間部に前記印字ヘッド４が幅方向に沿って装着されており、この印字ヘッド４は、本実施形態においてはサーマルヘッドを示した。
そして、前記本体２の内部で、前記印字ヘッド４よりも下方側に空間部が形成されて前記記録紙収納部２ａとなされ、前記印字ヘッド４よりも上方側に、この印字ヘッド４を支持するブラケットや制御回路を含んだ制御ユニット（何れも図示略）、および、バッテリー７が装着されている。
【００１１】
前記蓋体３は、図５に示す構造例と同様に、前記本体２の記録紙収納部２ａの側部に枢着されて、本体２の幅方向、すなわち、携帯型印字装置をベルト等に掛け止めした状態において水平方向に回動させられるようになっており、前記記録収納部２ａの側面を覆う部位３ａと、前面を覆う部位３ｂとによって構成され、本実施形態においては、前記側面を覆う部位３ａに、図４に示すように、記録紙１の軸線と同軸となるガイド軸８が突設されている。
【００１２】
前記ガイド軸８には、摺動自在な摺動筒９が設けられている。
この摺動筒９は、前記ガイド軸８との間に全周にわたって隙間を形成するような内径となされているとともに、その先端部分には、前記隙間を覆うように端部材１０が一体に設けられている。
【００１３】
また、前記ガイド軸８と摺動筒９との環状の隙間には、図３に示すように、前記側面を覆う部位３ａと前記端部材１０との間に圧縮状態で介装された、付勢部材としての圧縮スプリング１１が装着されており、この圧縮スプリング１１の弾発力により、前記摺動筒９が、前記ガイド軸８の突出端側へ付勢されている。
【００１４】
さらに、前記ガイド軸８の側面には、長さ方向全長にわたって平面部８ａが形成され、また、前記端部材１０には、前記ガイド軸８の平面部８ａに圧接されて、前記端部材１０および摺動筒９の固定をなす固定手段としての止着ネジ１２が螺着されている。
【００１５】
そして、前記摺動筒９の、前記蓋体３の、側面を覆う部位３ａ近傍には、摺動筒９の軸線と直交する面に沿った円盤状の位置決めプレート１３が、同軸状に一体に設けられており、この位置決めプレート１３には、前記摺動筒９に被嵌される前記記録紙１の心材Ｓの内周面に接触させられて、前記記録紙１を、前記摺動筒９と同軸に支持するとともに、軸線まわりに回転自在に支持する支持ローラ１４が、前記軸まわりに間隔をおいて３箇所に回転自在に設けられている。
【００１６】
また、前記ガイド軸８の平面部８ａには、装填する記録紙１の幅寸法に対応した目盛り１５が形成されており、前記端部材１０の外端面を、装填する記録紙１の幅寸法に対応した目盛り１５に位置合わせした状態において、当該記録紙１を、前記位置決めプレート１３に当接させた際に、図４に示すように、この記録紙１の幅方向の中心が、常に所定の位置Ｌに位置するように前記目盛り１５が形成されている。
【００１７】
また、図１において符号１６は、前記プラテンローラ５を回転駆動するためのモータであり、符号１７は、このモータ１６の回転を前記プラテンローラ５へ伝達するためのギヤ群である。
【００１８】
このように構成された本実施形態に係わる携帯型印字装置の作用について説明する。
最大幅の記録紙１を装填する場合には、まず、止着ネジ１２を緩めた後に、端部材１０の端面をガイド軸８に形成されている目盛り１５の最大値に合わせるように摺動筒９を移動させ、この状態で、前記止着ネジ１２を締め付けて、前記端部材１０、摺動筒９、および、位置決めプレート１３を固定する。
この状態において、記録紙１を支持ローラ１４の外側に接触させるようにして装着するとともに、この記録紙１の一端面を前記位置決めプレート１３へ当接させる。
これによって、図４（ａ）に示すように、前記記録紙１の幅方向の中心が、所定位置Ｌに一致させられた状態で装填される。
【００１９】
ついで、幅の狭い記録紙１を装填するには、止着ネジ１２を緩めて、端部材１０の端面を、前記幅狭の記録紙１の幅寸法に対応した目盛り１５に合致させた後に、前記止着ネジ１２を締め付けて、前記端部材１０、摺動筒９、および、位置決めプレート１３を固定する。
この状態で、幅狭の記録紙１を前述と同様にして装着することにより、図４（ｂ）に示すように、幅狭の記録紙１の装填が行われる。
そして、このように幅狭の記録紙１を装填した場合においても、その幅寸法に応じて、前記位置決めプレート１３の位置が調整されていることにより、装填された幅狭の記録紙１の、幅方向の中心が、前記所定位置Ｌに合致させられる。
【００２０】
このようにして、記録紙１の装填を完了した後に、この記録紙１の先端部分を前記プラテンローラ５から突出する位置まで引き出した状態で、前記蓋体３を閉じることにより、前記記録紙１の先端部分を、図１に示すように、プラテンローラ５と印字ヘッド４との間に挟持させて、印字可能な状態にセットされる。
この状態で、裏面のクリップ６によってバンド等へ掛け止めされて携帯される。
【００２１】
そして、ラベル１ｂの発行操作が行われると、図１に示すように、本体２の記録紙発行部２ｂから、印字されたラベル１ｂが帯状台紙１ａとともに排出され、作業者は、このラベル１ｂを剥がして商品等へ貼付することができる。
【００２２】
このように、本実施形態に係わる携帯型印字装置によれば、ロール状に巻回された記録紙１を、その端面を、位置調整された位置決めプレート１３に当接させるように装着することにより、前記記録紙１の幅寸法に関わりなく、その幅方向の中心を、常に所定の位置Ｌに一致させた状態で装填することができる。
したがって、印字の制御を簡素化することができる。
【００２３】
なお、前記実施形態において示した各構成部材の諸形状や寸法等は一例であって、設計要求等に基づき種々変更可能である。
【００２４】
【発明の効果】
本発明は以上のように構成されているので、ロール状に巻回された記録紙を、その端面を、位置調整された位置決めプレートに当接させるように装着することにより、前記記録紙の幅寸法に関わりなく、その幅方向の中心を、常に所定の位置に一致させた状態で装填することができる。
したがって、印字の制御を簡素化することができる。
【図面の簡単な説明】
【図１】本発明の一実施形態を示すもので、主要構成部材の位置関係を示す概略側面図である。
【図２】本発明の一実施形態を示すもので、位置決めプレート部分の平面図である。
【図３】本発明の一実施形態を示すもので、位置決めプレート部分の縦断面図である。
【図４】本発明の一実施形態を示すもので、（ａ）は幅広の記録紙を装填した状態を示す一部を破断した平面図、（ｂ）は幅狭の記録紙を装填した状態を示す一部を破断した平面図である。
【図５】携帯型印字装置の一構造例を示す外観斜視図である。
【符号の説明】
１  記録紙
１ａ  帯状台紙
１ｂ  ラベル
２  本体
２ａ  記録紙収納部
２ｂ  記録紙発行部
３  蓋体
３ａ  側面を覆う部位
３ｂ  前面を覆う部位
４  印字ヘッド
５  プラテンローラ
６  クリップ
７  バッテリー
８  ガイド軸
８ａ  平面部
９  摺動筒
１０  端部材
１１  圧縮スプリング（付勢部材）
１２  止着ネジ（固定手段）
１３  位置決めプレート
１４  支持ローラ
１５  目盛り
１６  モータ
１７  ギヤ群
Ｓ  心材
【図１】
0004473373.tif 000002
【図２】
0004473373.tif 000003
【図３】
0004473373.tif 000004
【図４】
0004473373.tif 000005
【図５】
0004473373.tif 000006